(57)【要約】  この発明は、１２ｆ加振力を低減し、アイドル状態における耳障りな２０００Ｈｚ付近の電磁騒音の発生を抑制できる回転電機を得る。  この発明では、電機子巻線は、第１及び第２の三相巻線を有し、第１の三相巻線は、その各相巻線をΔ結線して構成され、第２の三相巻線は、その各相巻線をΔ結線された第１の三相巻線の各出力端に直列に結線して、第１の三相巻線にＹ結線して構成されている。そして、第１及び第２の三相巻線のそれぞれは、各相電流が互いに位相差を有する状態で固定子鉄心に巻装されている。さらに、固定子の隣り合うスロット開口部の中心角度が不等ピッチであり、第１の三相巻線と第２の三相巻線との巻き数比が１．２５〜２．２５の範囲内にある。
2007088598.tif 000002
【特許請求の範囲】
【請求項１】
固定子鉄心と、この固定子鉄心に装備された電機子巻線とを備える固定子を有する回転電機において、
前記電機子巻線は、複数の三相巻線を有し、
一つの前記三相巻線は、当該三相巻線の各相巻線をΔ結線して構成され、
他の前記三相巻線は、当該三相巻線の各相巻線をΔ結線された前記三相巻線の各出力端に直列に結線して、Δ結線された前記三相巻線にＹ結線して構成され、
前記複数の三相巻線のそれぞれは、各相電流が互いに位相差を有する状態で前記固定子鉄心に巻装され、
前記固定子の隣り合うスロット開口部の中心角度が不等ピッチであり、
Δ結線された前記三相巻線とＹ結線された前記三相巻線との巻き数比が１．２５〜２．２５の範囲内にあることを特徴とする回転電機。
【請求項２】
スロット内に装填される電気導体の数が、全てのスロットの各スロットにおいて同じであることを特徴とする請求項１記載の回転電機。
【請求項３】
電気導体のスロット内に装填される部位が矩形断面形状に作製されていることを特徴とする請求項１又は請求項２記載の回転電機。
【請求項４】
Δ結線された前記三相巻線とＹ結線された前記三相巻線との巻き数比が２であり、Δ結線された前記三相巻線の各相巻線が１直列回路に構成され、Ｙ結線された前記三相巻線の各相巻線が２並列回路に構成されていることを特徴とする請求項１乃至請求項３のいずれか１項に記載の回転電機。
【発明の詳細な説明】
【技術分野】
【０００１】
本発明は、乗用車やトラックなどに搭載される発電機、電動機および発電電動機などの回転電機に関するものである。
【背景技術】
【０００２】
近年、車両用交流発電機においては、車両エンジンルームがますます狭小化するなかで、その搭載スペースに余裕がなくなってきている一方で、車両負荷の増大による発電出力の向上が求められている。また、車内外共に、騒音低減のニーズが高く、エンジン騒音が低下してきている。しかし、車両の電気負荷への電力供給のために、常時発電稼働している車両用交流発電機の騒音が問題となっている。車両用交流発電機は、低速から高速まで比較的広い回転域で回転駆動され、その風騒音や電磁騒音が問題とされている。特に、アイドリング状態から常用域までのエンジンの回転が低い領域における車両用交流発電機の電磁騒音は、エンジンの騒音やエンジン補機の騒音とは周波数が異なり、人間の聴感的にも目立ち、不快な騒音として聞こえて問題視されている。【０００３】
このようなニーズに対応して、電磁騒音を低減する様々な手法が従来から提案されている。例えば、毎極毎相当たりの固定子スロット数が２の回転電機において、電機子巻線をＹΔ混合結線とし、かつ、固定子スロットを等ピッチ（スロット開口部のピッチが電気角で３０°）で形成して、回転電機内の高調波磁束を低減し、高調波磁束によって発生する電磁加振力を低減していた（例えば、特許文献１参照）。【０００４】
【特許文献１】特許第３６３３４９４号公報
【発明の開示】
【発明が解決しようとする課題】
【０００５】
上述の従来の回転電機において、Δ結線の巻き数／Ｙ結線（スター結線）の巻き数＝√３とすれば、回転電機内の空間５次起磁力高調波および空間７次起磁力高調波が理論上０となり、これを元に発生する電磁加振力（６ｆ加振力という。ｆ：基本周波数）が消滅する。ここで、巻線の巻き数は物理的に整数である必要があり、Δ結線の巻き数／Ｙ結線の巻き数を√３とすることは難しい。このため、この巻き数比を√３に近づけることが必要となる。なお、この場合でも、回転電機内に発生する空間１１次起磁力高調波および空間１３次起磁力高調波に関しては、低減されることはない。このため、これらの高調波によって発生する電磁加振力（１２ｆ加振力という。）は、ＹΔ混合結線を用いても、低減されることはない。【０００６】
一方、車両の高速運転時には、風音或いはエンジン音が騒音のほとんどであるため、例え高速域における車両用交流発電機や発電電動機による電磁騒音が大きくなっても、ユーザにとって耳障りな音ではない。つまり、低速運転時に発生する電磁騒音を低減することが回転電機において求められる課題である。具体的には、車両が停止している状態（アイドリング状態）において発生する２０００Ｈｚ付近の電磁騒音が最も耳障りな騒音となる。【０００７】
また、アイドリング状態でのエンジン回転速度が７００ｒｐｍ前後であり、エンジンのクランクプーリと車両用交流発電機のプーリとの比が約２〜２．５であることから、アイドリング状態での車両用交流発電機の回転速度は、おおよそ１５００〜１８００ｒｐｍとなる。そして、車両用交流発電機の極数が１２であれば、基本周波数は１５０〜１８０Ｈｚとなり、極数が１６であれば、基本周波数は２００〜２４０Ｈｚとなる。そこで、６ｆ加振力の周波数は、１２極の場合９００〜１０８０Ｈｚとなり、１６極の場合１２００〜１４４０Ｈｚとなる。これに対し、１２ｆ加振力の周波数は、１２極の場合１８００〜２１６０Ｈｚとなり、１６極の場合２４００〜２８８０Ｈｚとなる。【０００８】
このように、アイドル状態における耳障りな２０００Ｈｚ付近の電磁騒音は、１２ｆ加振力によって発生することが分かる。しかし、従来の回転電機では、電機子巻線をＹΔ混合結線で構成しているので、空間５次高調波および空間７次高調波を低減できるものの、空間１１次起磁力高調波および空間１３次起磁力高調波（１２ｆ加振力）を低減することはできず、アイドル状態における耳障りな２０００Ｈｚ付近の電磁騒音の発生を抑制できない、という問題があった。【０００９】
この発明は、上述のような問題を解決するためになされたものであり、１２ｆ加振力を低減し、アイドル状態における耳障りな２０００Ｈｚ付近の電磁騒音の発生を抑制できる回転電機を得ることを目的としている。
【課題を解決するための手段】
【００１０】
この発明は、固定子鉄心と、この固定子鉄心に装備された電機子巻線とを備える固定子を有する回転電機において、前記電機子巻線は、複数の三相巻線を有し、一つの前記三相巻線は、当該三相巻線の各相巻線をΔ結線して構成され、他の前記三相巻線は、当該三相巻線の各相巻線をΔ結線された前記三相巻線の各出力端に直列に結線して、Δ結線された前記三相巻線にＹ結線して構成されている。そして、前記複数の三相巻線のそれぞれは、各相電流が互いに位相差を有する状態で前記固定子鉄心に巻装されている。さらに、前記固定子の隣り合うスロット開口部の中心角度が不等ピッチであり、Δ結線された前記三相巻線とＹ結線された前記三相巻線との巻き数比が１．２５〜２．２５の範囲内にある。
【発明の効果】
【００１１】
この発明によれば、電機子巻線が複数の三相巻線をＹΔ混合結線して構成されているので、磁気騒音の主な発生原因である固定子の反作用起磁力の５次高調波成分と７次高調波成分を互いに打ち消すことができる。また、隣り合うスロット開口部の中心角度を不等ピッチとしているので、１２ｆ加振力が低減され、アイドル付近耳障りな電磁騒音の発生が抑制される。さらに、全波整流回路が１組で済むので、装置の小型化を図ることができる。
【図面の簡単な説明】
【００１２】
【図１】この発明の実施の形態１による車両用交流発電機を示す縦断面図である。
【図２】この発明の実施の形態１による車両用交流発電機における回転子を示す斜視図である。
【図３】この発明の実施の形態１による車両用交流発電機における固定子を示す斜視図である。
【図４】この発明の実施の形態１による車両用交流発電機における電機子巻線の構成を説明する斜視図である。
【図５】この発明の実施の形態１による車両用交流発電機における固定子鉄心の構成を説明する要部端面図である。
【図６】この発明の実施の形態１による車両用交流発電機における電気回路図である。
【図７】空間１１次および空間１３次の高調波磁束と不等ピッチ角度との関係を示す図である。
【図８】１２ｆ加振力と不等ピッチ角度との関係を示す図である。
【図９】固定子スロット高調波の影響を考慮した場合の空間１１次および空間１３次の高調波磁束と不等ピッチ角度との関係を示す図である。
【図１０】固定子スロット高調波の影響を考慮した場合の１２ｆ加振力と不等ピッチ角度との関係を示す図である。
【図１１】６ｆ加振力と巻き数比と不等ピッチ角度との関係を示す図である。
【図１２】固定子スロット高調波の影響を考慮した場合の６ｆ加振力と巻き数比と不等ピッチ角度との関係を示す図である。
【図１３】この発明の実施の形態２による車両用交流発電機における固定子の構成を説明する図である。
【図１４】この発明の実施の形態２による車両用交流発電機における電機子巻線の構成を説明する要部斜視図である。
【図１５】この発明の実施の形態２による車両用交流発電機における電気回路図である。
【発明を実施するための最良の形態】
【００１３】
実施の形態１．
図１はこの発明の実施の形態１による車両用交流発電機を示す縦断面図、図２はこの発明の実施の形態１による車両用交流発電機における回転子を示す斜視図、図３はこの発明の実施の形態１による車両用交流発電機における固定子を示す斜視図、図４はこの発明の実施の形態１による車両用交流発電機における電機子巻線の構成を説明する斜視図、図５はこの発明の実施の形態１による車両用交流発電機における固定子鉄心の構成を説明する要部端面図、図６はこの発明の実施の形態１による車両用交流発電機における電気回路図である。【００１４】
図１乃至図４において、車両用交流発電機（以下、発電機と略称する）は、それぞれ略椀形状のアルミニウム製のフロントブラケット１とリヤブラケット２とからなるケース３と、このケース３に回転自在に支持されたシャフト４と、ケース３のフロント側に延出するシャフト４の端部に固着されたプーリ５と、シャフト４に固定されてケース３内に収容された回転子６と、この回転子６の軸方向の両端面に固定されたファン７と、回転子６の外周を囲繞するようにケース３の内壁面に固定された固定子８と、シャフト４のリア側に固定され、回転子６に電流を供給するスリップリング９と、このスリップリング９に摺動するようにケース３内に配設された一対のブラシ１０と、このブラシ１０を収納するブラシホルダ１１と、固定子８に電気的に接続され、固定子８で生じた交流を直流に整流する整流器１２と、ブラシホルダ１１に嵌着されたヒートシンク１７と、このヒートシンク１７に接着され、固定子８で生じた交流電圧の大きさを調整するレギュレータ１８と、を備えている。【００１５】
回転子６は、電流を流して磁束を発生する界磁巻線１３と、この界磁巻線１３を覆うように設けられ、その磁束によって磁極が形成される一対の第１および第２ポールコア体２０，２１とを備えている。第１および第２ポールコア体２０，２１は、鉄製であり、それぞれ爪状磁極２２，２３が外周縁部に周方向に等角ピッチで６つ突設されており、これらの爪状磁極２２，２３を噛み合わせて対向するようにシャフト６に固着されている。そして、隣り合う爪状磁極２２，２３間には、磁束が爪状磁極２２，２３間で漏れないように隙間２４が形成されている。また、この隙間２４は、界磁巻線１３を冷却するための冷却風通路としても機能する。【００１６】
固定子８は、円筒状の固定子鉄心１５と、固定子鉄心１５に装備された電機子巻線１６とを備えている。【００１７】
固定子鉄心１５には、軸方向に延びるスロット１５ａがスロット開口部１５ｄを内周側に向けて毎極毎相当たり２の割合で周方向に等角ピッチで設けられている。即ち、この実施の形態１では、爪状磁極２２，２３の総数が１２であることから、７２個のスロット１５ａ（スロット番号１番から７２番までのスロット１５ａ）が固定子鉄心１５に形成されている。また、スロット１５ａは、図５に示されるように、ティース１５ｂの先端に形成されている鍔部１５ｃの周方向の延出長さを変えて、隣り合うスロット開口部１５ｄの中心線Ａ間の角度が、機械角で、５．３３°と、４．６７°とを交互に繰り返すように、形成されている。なお、中心線Ａは、スロット開口部１５ｄの周方向幅の中心と固定子鉄心１５の軸心とを結ぶ直線であり、機械角の５．３３°および４．６７°が、電気角の３２°および２８°に相当する。つまり、固定子鉄心１５は、スロット開口部１５ｄが電気角で３２°と２８°とを交互にとるように不等ピッチに形成されている。【００１８】
電機子巻線１６は、６つの相巻線３０から構成されている。各相巻線３０は、２つの波巻き巻線３１Ａ，３１Ｂから構成されている。そして、各波巻き巻線３１Ａ，３１Ｂは、図４に示されるように、絶縁被覆された断面円形の銅線材からなる導体線３２を、６スロットピッチに配列されたスロット収納部３１ａと、隣り合うスロット収納部３１ａの端部同士を軸方向に関して交互に連結する渡り部３１ｂとからなる波状パターンに所定回巻回して構成されている。そして、２つの波巻き巻線３１Ａ，３１Ｂが、周方向に６スロットピッチずれて重ねられ、波巻き巻線３１Ａの巻き終わり３２ｂと波巻き巻線３１Ｂの巻き終わり３２ｂとを接合して、相巻線３０を構成している。このように構成された相巻線３０は、図３に示されるように、スロット収納部３１ａが径方向に重ねられて各スロット１５ａ内に収納されて固定子鉄心１５に巻装されている。そして、渡り部３１ｂは、固定子鉄心１５を介して軸方向に相対して配置されている。【００１９】
そして、６つの相巻線３０が、スロット番号１番、７番、・・・、６７番の第１スロット群、スロット番号２番、８番、・・・、６８番の第２スロット群、スロット番号３番、９番、・・・、６９番の第３スロット群、スロット番号４番、１０番、・・・、７０番の第４スロット群、スロット番号５番、１１番、・・・、７１番の第５スロット群およびスロット番号６番、１２番、・・・、７２番の第６スロット群に、それぞれ巻装されている。ここで、第１乃至第６スロット群に巻装された相巻線３０を、それぞれ、便宜上、Ｕ，Ｘ，Ｖ，Ｙ，ＷおよびＺ相巻線３０U，３０X，３０V，３０Y，３０W，３０Zとする。【００２０】
なお、第１、第３および第５スロット群に巻装されたＵ，ＶおよびＷ相巻線３０U，３０V，３０Wからなる第１の三相巻線と、第２、第４および第６スロット群に巻装されたＸ，ＹおよびＺ相巻線３０X，３０Y，３０Zからなる第２の三相巻線とは、電気角で３２°の位相差を有している。また、Ｕ，ＶおよびＷ相巻線３０U，３０V，３０Wは、電気角で６０°の位相差を有し、Ｘ，ＹおよびＺ相巻線３０X，３０Y，３０Zは電気角で６０°の位相差を有している。【００２１】
そして、Ｕ相巻線３０Uの波巻き巻線３１Ａの巻き初め３２ａとＶ相巻線３０Vの波巻き巻線３１Ｂの巻き始め３２ａとが接合され、Ｖ相巻線３０Vの波巻き巻線３１Ａの巻き初め３２ａとＷ相巻線３０Wの波巻き巻線３１Ｂの巻き始め３２ａとが接合され、Ｗ相巻線３０Wの波巻き巻線３１Ａの巻き初め３２ａとＵ相巻線３０Uの波巻き巻線３１Ｂの巻き始め３２ａとが接合されている。これにより、Ｕ，ＶおよびＷ相巻線３０U，３０V，３０WをΔ結線してなる第１の三相巻線が構成される。【００２２】
また、Ｘ相巻線３０Xの波巻き巻線３１Ｂの巻き始め３２ａがＵ相巻線３０UとＶ相巻線３０Vとの接合部に接合され、Ｙ相巻線３０Yの波巻き巻線３１Ｂの巻き始め３２ａがＶ相巻線３０VとＷ相巻線３０Wとの接合部に接合され、Ｚ相巻線３０Zの波巻き巻線３１Ｂの巻き始め３２ａがＷ相巻線３０WとＵ相巻線３０Uとの接合部に接合されている。これにより、Ｘ，ＹおよびＺ相巻線３０X，３０Y，３０Zを第１の三相巻線の各出力端に直列に接続して、第１の三相巻線にＹ結線してなる第２の三相巻線が構成される。【００２３】
これにより、図６に示されるように、Ｕ，Ｘ，Ｖ，Ｙ，ＷおよびＺ相巻線３０U，３０X，３０V，３０Y，３０W，３０ZをＹΔ混合結線してなる電機子巻線１６が得られる。そして、Ｘ，ＹおよびＺ相巻線３０X，３０Y，３０Zの波巻き巻線３１Ａの巻き初め３２ａが、整流器１２に接続されている。【００２４】
このように構成された発電機では、バッテリ（図示せず）からブラシ１０おとびスリップリング９を介して電流が界磁巻線１３に供給される。これにより、磁束が発生し、第１ポールコア体２０の爪状磁極２２にはＮ極が着磁され、第２ポールコア体２１の爪状磁極２３にはＳ極が着磁される。一方、エンジンによってプーリ５が回転駆動され、回転子６がシャフト４とともに回転する。これにより、回転磁界が電機子巻線１６に与えられ、起電力が発生する。この交流の起電力は、１組の全波整流回路で構成された整流器１２を通って直流に整流されると共に、その電圧値の大きさがレギュレータ１８によって調整されて、バッテリに充電される。【００２５】
このように構成された発電機では、スロット開口部１５ｄが電気角で３２°と２８°とを交互に繰り返す不等ピッチに形成され、Ｕ，ＶおよびＷ相巻線３０U，３０V，３０Wからなる第１の三相巻線と、Ｘ，ＹおよびＺ相巻線３０X，３０Y，３０Zからなる第２の三相巻線とが、３２°の電気角の位相差で固定子鉄心１５に組み込まれている。さらに、Δ結線された第１の三相巻線とＹ結線された第２の三相巻線との巻き数比は１である。【００２６】
以下、上記構成を採用することによる意義について説明する。
まず、発電時において、回転子６と固定子８との間で、回転子６の爪状磁極２２，２３から発生する高調波を含む回転磁界と、電機子巻線１６に発生する交流電流から発生する高調波を含む交流磁界との相互作用により、電磁吸引力が発生する。この電磁吸引力が回転子６の爪状磁極２２，２３および固定子鉄心１５の電磁加振力となり、振動、電磁騒音を引き起こす。【００２７】
ここで、スロット１５ａの数が磁極数の６倍であり、かつ、電機子巻線１６が２つの三相巻線をＹΔ混合結線して構成された発電機の場合において、上記電磁加振力について本発明者が電磁界解析して分析したところ、発電機における電磁音の発生は、１回転に極数の３倍次と６倍次の電磁加振力に起因する結果が得られた。つまり、電磁騒音の発生は、出力電流の基本周波数をｆとしたとき、６ｆ周波数と、１２ｆ周波数の電磁加振力に起因することが分かった。【００２８】
１２ｆ加振力の原因となる空間１１次および空間１３次の高調波磁束は、ＹΔの巻き数比によらず、発電機内の基本波に対する割合は一定である。図７は空間１１次および空間１３次の高調波磁束の不等ピッチ角度に対する大きさの相対値を示す。図７から、スロット開口部のピッチが等ピッチ（電気角で３０°）の時が、磁束が最も大きくなっていることがわかる。【００２９】
ついで、この空間１１次および空間１３次起磁力高調波により発生する１２ｆ加振力の不等ピッチ角度に対する大きさの相対値を図８に示す。ただし、ここでは、簡単のために、空間１１次起磁力高調波がつくる１２ｆ加振力と空間１３次起磁力高調波がつくる１２ｆ加振力とが強め合うとして計算している。図８から、１２ｆ加振力も、スロット開口部のピッチが等ピッチ（電気角で３０°）の時が、最も大きくなっていることがわかる。【００３０】
同様に、固定子スロット高調波の影響を考慮した場合の空間１１次および空間１３次の高調波磁束の不等ピッチ角度に対する大きさの相対値を図９に示す。さらに、これによる１２ｆ加振力の不等ピッチ角度に対する大きさの相対値を図１０に示す。固定子スロット高調波の影響を考慮した場合においても、スロット開口部のピッチが等ピッチ（電気角で３０°）の時が、磁束および１２ｆ加振力が最も大きくなっていることがわかる。
これらの結果から、アイドリング状態で耳障りな電磁騒音を低減するためには、固定子のスロット開口部のピッチを不等ピッチにすることが有効であることが分かる。【００３１】
ついで、６ｆ加振力は、ＹΔ混合結線とすることにより、１２ｆ加振力に比べて大きく低減されているが、電磁騒音の観点からはできるだけ低減することが望ましい。特に、ＹΔの巻き数比および不等ピッチ角度によって６ｆ加振力は変化するため、巻き数比に関しては注意を要する。【００３２】
図１１に、空間５次および空間７次起磁力高調波により発生する６ｆ加振力の巻き数比および不等ピッチ角度に対する影響を示す。図１２に、固定子スロット高調波の影響を考慮した場合の６ｆ加振力の巻き数比および不等ピッチ角度に対する影響を示す。図１１および図１２から、Δ巻線の巻き数／Ｙ結線の巻き数（＝巻き数比）が１．２５〜２．２５の範囲であれば、不等ピッチ角度によらず、６ｆ加振力を低減できることが分かる。【００３３】
このように構成された発電機では、Ｕ，ＶおよびＷ相巻線をΔ結線して第１の三相巻線を構成し、Ｘ，ＹおよびＺ相巻線を第１の三相巻線の各出力端に直列に接続して、第１の三相巻線にＹ結線してなる第２の三相巻線を構成し、スロット開口部１５ｄが不等ピッチに形成され、第１の三相巻線と第２の三相巻線との巻き数比を１．２５〜２．２５の範囲内としている。
そこで、１組の全波整流回路で構成された整流器１２を備えても、６ｆ周波数と、１２ｆ周波数の電磁加振力が低減できるので、アイドル状態における耳障りな２０００Ｈｚ付近の電磁騒音の発生を抑制できるとともに、２組の全波整流回路で構成された整流器を用いて合成出力する場合に比べて、装置の小型化を図ることができる。【００３４】
実施の形態２．
図１３はこの発明の実施の形態２による車両用交流発電機における固定子の構成を説明する図、図１４はこの発明の実施の形態２による車両用交流発電機における電機子巻線の構成を説明する要部斜視図、図１５はこの発明の実施の形態２による車両用交流発電機における電気回路図である。【００３５】
図１４において、相巻線３０Ａは、２つの波巻き巻線４０Ａ、４０Ｂから構成されている。波巻き巻線４０Ａ，４０Ｂは、導体線の断面形状および巻き数を除いて、図４に示される波巻き巻線３１Ａ，３１Ｂと同様に構成されている。つまり、波巻き巻線４０Ａ，４０Ｂは、絶縁被覆された銅線材からなる導体線４１を、６スロットピッチに配列されたスロット収納部４０ａと、隣り合うスロット収納部４０ａの端部同士を軸方向に関して交互に連結する渡り部４０ｂとからなる波状パターンに所定回巻回して構成されている。そして、導体線４１は、円形断面の導体線の一部をプレス加工して扁平な矩形断面に変形している。つまり、スロット収納部４０ａが扁平な矩形断面に作製され、渡り部４０ｂが円形断面に作製されている。そして、２つの波巻き巻線４０Ａ，４０Ｂが、周方向に６スロットピッチずれて重ねられ、各スロット１５ａ内に収納されて固定子鉄心１５に巻装されている。【００３６】
このようにして、各相巻線３０Ａは、そのスロット収納部４０ａが、図１３に示されるように、矩形断面の長辺を周方向に揃えて、径方向に１列、６層に並んでスロット１５ａ内に装填されている。なお、スロット開口部１５ｄは、不等ピッチに形成されている。【００３７】
そして、Ｕ，ＶおよびＷ相巻線３０U，３０V，３０Wは、それぞれ、波巻き巻線４０Ａ，４０Ｂの巻き終わり同士を接合して８ターンの１直列回路を構成している。一方、Ｘ，ＹおよびＺ相巻線３０X，３０Y，３０Zは、それぞれ、波巻き巻線４０Ａ，４０Ｂの巻き初め同士を接合し、さらに波巻き巻線４０Ａ，４０Ｂの巻き終わり同士を接合して４ターンの２並列回路を構成している。【００３８】
そして、Ｕ，ＶおよびＷ相巻線３０U，３０V，３０WをΔ結線して第１の三相巻線を構成している。また、Ｘ，ＹおよびＺ相巻線３０X，３０Y，３０Zを第１の三相巻線の各出力端に直列に接続して、第２の三相巻線を第１の三相巻線にＹ結線している。
これにより、図１５に示されるように、Ｕ，Ｘ，Ｖ，Ｙ，ＷおよびＺ相巻線３０U，３０X，３０V，３０Y，３０W，３０ZをＹΔ混合結線してなる電機子巻線１６Ａが得られる。そして、Ｘ，ＹおよびＺ相巻線３０X，３０Y，３０Zの各出力端が、整流器１２に接続されている。【００３９】
この実施の形態２によれば、スロット１５ａ内に装填される導体線４１の数が、全てのスロット１５ａの各スロット１５ａにおいて同じであるので、Ｕ，Ｘ，Ｖ，Ｙ，ＷおよびＺ相巻線３０U，３０X，３０V，３０Y，３０W，３０Zを同一構成の巻線、即ち一種類の相巻線３０Ａで作製でき、生産性が向上される。
また、導体線４１のスロット収納部４０ａが矩形断面形状に作製されているので、スロット１５ａ内を有効に利用でき、即ち導体線４１の占積率が高められ、小型高出力化が図られる。【００４０】
また、スロット開口部１５ｄが電気角で３２°と２８°とを交互に繰り返す不等ピッチに形成され、Ｕ，ＶおよびＷ相巻線３０U，３０V，３０Wからなる第１の三相巻線と、Ｘ，ＹおよびＺ相巻線３０X，３０Y，３０Zからなる第２の三相巻線とが、３２°の電気角の位相差で固定子鉄心１５に組み込まれている。さらに、Δ結線された第１の三相巻線の各相巻線は８ターンであり、Ｙ結線された第２の三相巻線の各相巻線は４ターンであるので、両者の巻き数比は２となっている。従って、この実施の形態２においても、上記実施の形態１と同様に、１２ｆ加振力を低減し、アイドル状態における耳障りな２０００Ｈｚ付近の電磁騒音の発生を抑制できる。【００４１】
ここで、ＹΔ混合結線では、Δ結線の出力端にＹ結線を直列に接続しているので、Ｙ結線部の導体での発熱量は、Δ結線部の導体での発熱量に対し、√３倍になる。そこで、Ｙ結線部の導体の断面積をΔ結線部の導体の断面積に対して√３倍とすれば、Ｙ結線部の導体での発熱量の増加が抑えられる。しかし、全ての導体線の断面積が同じである場合には、Ｙ結線部を７並列回路とし、Δ結線部を４並列回路とすることで、Ｙ結線部の導体の断面積をΔ結線部の導体の断面積に対して√３倍に近づけることができるが、巻線構造および接続構造が極めて複雑となってしまう。
この実施の形態２によれば、Δ結線された第１の三相巻線の各相巻線が１直列回路に構成され、Ｙ結線された第２の三相巻線の各相巻線が２並列回路に構成されているので、同一径の導体線を用いて、簡易な結線で、Ｙ結線部の導体の断面積をΔ結線部の導体の断面積に対して２倍にすることができる。そこで、複雑な巻線構造および接続構造をとることなく、Ｙ結線部の導体の断面積をΔ結線部の導体の断面積に対して√３倍に近づけることができるので、回転電機の生産性が向上される。さらに、Ｙ結線部の導体での発熱量の増加が抑えられるので、Δ結線部およびＹ結線部での発熱が均一化され、導体線の絶縁被膜の温度上昇を抑制でき、絶縁耐久性が向上される。【００４２】
なお、上記実施の形態２では、導体線のスロット収納部のみが矩形断面形状に作製されているものとしているが、導体線全体、即ちスロット収納部および渡り部を矩形断面形状に作製するようにしてもよい。【００４３】
また、上記各実施の形態では、車両用交流発電機に適用するものとして説明しているが、本発明は、車両用発電電動機や車両用交流電動機の回転電機に適用しても同様の効果を奏する。
また、上記各実施の形態では、極数が１２で、スロット数が７２である車両用交流発電機に適用するものとして説明しているが、極数およびスロット数はこれに限定されるものではなく、例えば極数が１６で、スロット数が９６である車両用交流発電機でもよい。【００４４】
また、上記各実施の形態では、固定子スロットが毎極毎相当たり２の割合で作製された車両用交流発電機に適用するものとして説明しているが、この発明は、固定子スロットが毎極毎相当たりｎ（但し、ｎは２以上の整数）割合で作製された車両用交流発電機に適用することができる。この場合、電機子巻線はｎ組の三相巻線からなり、一組の三相巻線をΔ結線して構成し、残りの組の三相巻線をΔ結線された三相巻線の出力端に直列に接続することになる。
【図１】
2007088598.tif 000003
【図２】
2007088598.tif 000004
【図３】
2007088598.tif 000005
【図４】
2007088598.tif 000006
【図５】
2007088598.tif 000007
【図６】
2007088598.tif 000008
【図７】
2007088598.tif 000009
【図８】
2007088598.tif 000010
【図９】
2007088598.tif 000011
【図１０】
2007088598.tif 000012
【図１１】
2007088598.tif 000013
【図１２】
2007088598.tif 000014
【図１３】
2007088598.tif 000015
【図１４】
2007088598.tif 000016
【図１５】
2007088598.tif 000017
【国際調査報告】
2007088598.tif 000018
2007088598.tif 000019
2007088598.tif 000020
2007088598.tif 000021